【事件の表示】
　特願２００５−２６１６１２「シュレッダ・スロート安全システム」拒絶査定不服審判事件〔平成１８年　３月２３日出願公開、特開２００６−　７５８３１〕について、次のとおり審決する。
【結　論】
　本件審判の請求は、成り立たない。
【理　由】
第１．手続の経緯  
　本件出願は、平成１７年９月９日（パリ条約による優先権主張２００４年９月１０日、米国、２００５年７月１１日、米国）に出願されたものであり、平成１８年１月５日付けで拒絶理由が通知され、同年５月１７日に意見書及び手続補正書が提出されたが、同年８月２３日付けで拒絶査定がなされた。
　そして、平成１８年１１月２４日に拒絶査定不服審判が請求されるとともに、同年１２月２５日付けで手続補正書が提出されて特許請求の範囲を補正する手続補正がされ、平成２０年１０月７日付けで当審において書面による審尋がなされ、平成２１年１月１３日付けで審尋に対する回答書が提出されたものである。
 　 
 　 
 　 
第２．平成１８年１２月２５日付けの手続補正についての補正却下の決定 
 ［補正却下の決定の結論］ 
 平成１８年１２月２５日付けの手続補正を却下する。 
 ［理　由］ 
 １．本件補正の内容 
　平成１８年１２月２５日付けの手続補正（以下、「本件補正」という。）は、特許請求の範囲に関して、本件補正により補正される前の（すなわち、平成１８年５月１７日付けで提出された手続補正書により補正された）下記の（ｂ）に示す請求項１ないし５２を下記の（ａ）に示す請求項１ないし６９と補正することを含むものである。
　
（ａ）本件補正後の特許請求の範囲
「特許請求の範囲　
　　【請求項１】　
　
紙、ＣＤ、フロッピー（登録商標）・ディスク、クレジット・カード等の薄い平坦な物品を寸断するためのシュレッダにして、
　ハウジングと、
　
電動モータとカッタ要素とを含み、前記物品の寸断のために前記ハウジングの開口部を通って前記カッタ要素の中に前記物品を送り込み、前記モータで前記カッタ要素を駆動してカッタ要素の中に送り込まれた前記物品を寸断する、前記ハウジング内にあるシュレッダ機構と、
　
前記シュレッダ機構の下に配設されて、寸断された物品を前記シュレッダ機構から受け入れるように形成されたゴミ入れであって、この中の寸断された物品を取り除いて空にするために前記シュレッダ機構の下から手動で除去可能なゴミ入れと、
　前記開口部に少なくとも
部分的に隣接するセンサ素子を有する近接センサであって、前記
、前記人又は動物の固有電気的特性の前記センサ素子を介する検知に基づいて指示するように形成
　
前記
前記カッタ要素を動作不能に
を含むシュレッダ。
　　【請求項２】　
　
前記
前記モータへの電力供給を不能にすることによって前記カッタ要素が動作不能になる
　　【請求項３】　
　
前記制御装置は、前記人又は動物の存在の指示に応答して、インジケータを照らす働きをすることもできる
　　【請求項４】　
　前記制御装置がマイクロコントローラである請求項１に記載のシュレッダ。
　　【請求項５】　
　前記近接センサが容量性センサである請求項１に記載のシュレッダ。
　　【請求項６】　
　前記近接センサ
のセンサ素子
を含み、前記近接センサは前記導電性要素の状態を検知するための回路構成をさらに含み、前記近接センサは、前記導電性要素の近傍に近づいた人又は動物によって起こるキャパシタンスの変化に対応する前記導電性要素の状態の変化を指示するように形成され、
　
前記制御装置は、前記導電性要素の状態の指示された変化に応答して前記カッタ要素を動作不能にする働きをする
請求項５に記載のシュレッダ。
　　【請求項７】　
　前記導電性要素が、開口部の近傍でハウジングの一部分に沿って延在する薄い金属部材である請求項６に記載のシュレッダ。
　　【請求項８】　
　
前記シュレッダ機構がハウジングの内部にはめ込まれた
　　【請求項９】　
　
前記金属部材が、ハウジングの部分に開口部の近くで少なくとも部分的に接着されている請求項７
　　【請求項１０】　
　
前記金属部材が金属テープを含む請求項９
　　【請求項１１】　
　
前記導電性要素が少なくとも部分的に、ハウジング又はハウジングに付属する部材に塗付されたメタリック・エナメルを含む請求項６
　　【請求項１２】　
　
前記制御装置が少なくとも部分的にマイクロプロセッサを含む請求項１
　　【請求項１３】　
　
前記開口部が細長くて狭い開口部である請求項１
　　【請求項１４】　
　
前記細長くて狭い開口部が一対の対向する壁によって画定され、前記近接センサの前記センサ素子が前記壁の少なくとも１つに取り付けられている請求項１３
　　【請求項１５】　
　
前記近接センサの前記センサ素子が、前記壁の少なくとも１つに沿って前記開口部の実質的に全長にわたって延在する請求項１４
　　【請求項１６】　
　
前記センサ素子が前記壁の両方に沿って延在している請求項１４
　　【請求項１７】　
　
前記センサ素子が、前記壁の両方に沿って前記開口部の実質的に全長にわたって延在している請求項１６
　　【請求項１８】　
　
前記センサ素子が前記壁の少なくとも１つの外側表面に備えられ、これによって前記開口部を少なくとも部分的に画定する請求項１４
　　【請求項１９】　
　
前記センサ素子が前記壁の少なくとも１つの外側表面に備えられ、これによって前記開口部を少なくとも部分的に画定する請求項１５
　　【請求項２０】　
　
前記センサ素子が前記壁の両方の外側表面に備えられ、これによって前記開口部を少なくとも部分的に画定する請求項１６
　　【請求項２１】　
　
前記センサ素子が前記壁の両方の外側表面に備えられ、これによって前記開口部を少なくとも部分的に画定する請求項１６
　　【請求項２２】　
　
前記近接センサの前記センサ素子が前記開口部に隣接して位置する導電性要素を含み、前記近接センサは前記導電性要素の状態を検知するための回路構成をさらに含み、前記近接センサは、前記導電性要素の近傍に近づいた人又は動物によって起こるキャパシタンスの変化に対応する前記導電性要素の状態の変化を指示するように形成され、
　
前記制御装置は、前記導電性要素の状態の指示された変化に応答して前記カッタ要素を動作不能にする働きをする、
請求項１に
　　【請求項２３】　
　
前記近接センサの前記センサ素子が前記開口部に隣接して位置する導電性要素を含み、前記近接センサは前記導電性要素の状態を検知するための回路構成をさらに含み、前記近接センサは、前記導電性要素の近傍に近づいた人又は動物によって起こるキャパシタンスの変化に対応する前記導電性要素の状態の変化を指示するように形成され、
　
前記制御装置は、前記導電性要素の状態の指示された変化に応答して前記カッタ要素を動作不能にする働きをする、
請求項１３
　　【請求項２４】　
　
前記近接センサの前記センサ素子が前記開口部に隣接して位置する導電性要素を含み、前記近接センサは前記導電性要素の状態を検知するための回路構成をさらに含み、前記近接センサは、前記導電性要素の近傍に近づいた人又は動物によって起こるキャパシタンスの変化に対応する前記導電性要素の状態の変化を指示するように形成され、
　
前記制御装置は、前記導電性要素の状態の指示された変化に応答して前記カッタ要素を動作不能にする働きをする、
請求項１４
　　【請求項２５】　
　前記近接センサの前記センサ素子が前記開口部に隣接して位置する導電性要素を含み、前記近接センサは前記導電性要素の状態を検知するための回路構成をさらに含み、前記近接センサは、前記導電性要素の近傍に近づいた人又は動物によって起こるキャパシタンスの変化に対応する前記導電性要素の状態の変化を指示するように形成され、
　
前記制御装置は、前記導電性要素の状態の指示された変化に応答して前記カッタ要素を動作不能にする働きをする、
請求項１５
　　【請求項２６】　
　
前記近接センサの前記センサ素子が前記開口部に隣接して位置する導電性要素を含み、前記近接センサは前記導電性要素の状態を検知するための回路構成をさらに含み、前記近接センサは、前記導電性要素の近傍に近づいた人又は動物によって起こるキャパシタンスの変化に対応する前記導電性要素の状態の変化を指示するように形成され、
　
前記制御装置は、前記導電性要素の状態の指示された変化に応答して前記カッタ要素を動作不能にする働きをする、
請求項１６
　　【請求項２７】　
　
前記近接センサの前記センサ素子が前記開口部に隣接して位置する導電性要素を含み、前記近接センサは前記導電性要素の状態を検知するための回路構成をさらに含み、前記近接センサは、前記導電性要素の近傍に近づいた人又は動物によって起こるキャパシタンスの変化に対応する前記導電性要素の状態の変化を指示するように形成され、
　
前記制御装置は、前記導電性要素の状態の指示された変化に応答して前記カッタ要素を動作不能にする働きをする、
請求項１７
　　【請求項２８】　
　
前記近接センサの前記センサ素子が前記開口部に隣接して位置する導電性要素を含み、前記近接センサは前記導電性要素の状態を検知するための回路構成をさらに含み、前記近接センサは、前記導電性要素の近傍に近づいた人又は動物によって起こるキャパシタンスの変化に対応する前記導電性要素の状態の変化を指示するように形成され、
　
前記制御装置は、前記導電性要素の状態の指示された変化に応答して前記カッタ要素を動作不能にする働きをする、
請求項１８
　　【請求項２９】　
　
前記近接センサの前記センサ素子が前記開口部に隣接して位置する導電性要素を含み、前記近接センサは前記導電性要素の状態を検知するための回路構成をさらに含み、前記近接センサは、前記導電性要素の近傍に近づいた人又は動物によって起こるキャパシタンスの変化に対応する前記導電性要素の状態の変化を指示するように形成され、
　
前記制御装置は、前記導電性要素の状態の指示された変化に応答して前記カッタ要素を動作不能にする働きをする、
請求項１９
　　【請求項３０】　
　
前記近接センサの前記センサ素子が前記開口部に隣接して位置する導電性要素を含み、前記近接センサは前記導電性要素の状態を検知するための回路構成をさらに含み、前記近接センサは、前記導電性要素の近傍に近づいた人又は動物によって起こるキャパシタンスの変化に対応する前記導電性要素の状態の変化を指示するように形成され、
　
前記制御装置は、前記導電性要素の状態の指示された変化に応答して前記カッタ要素を動作不能にする働きをする、
請求項２０
　　【請求項３１】　
　
前記近接センサの前記センサ素子が前記開口部に隣接して位置する導電性要素を含み、前記近接センサは前記導電性要素の状態を検知するための回路構成をさらに含み、前記近接センサは、前記導電性要素の近傍に近づいた人又は動物によって起こるキャパシタンスの変化に対応する前記導電性要素の状態の変化を指示するように形成され、
　
前記制御装置は、前記導電性要素の状態の指示された変化に応答して前記カッタ要素を動作不能にする働きをする、
請求項２１
　　【請求項３２】　
　
前記近接センサが、前記センサ素子との接触を必要とすることなく、前記開口部の近傍における人又は動物の存在を指示するように形成されている請求項１
　　【請求項３３】　
　
前記近接センサが、前記センサ素子との接触を必要とすることなく、前記開口部の近傍における人又は動物の存在を指示するように形成されている請求項１３
　　【請求項３４】　
　
前記近接センサが、前記センサ素子との接触を必要とすることなく、前記開口部の近傍における人又は動物の存在を指示するように形成されている請求項１４
　　【請求項３５】　
　
前記近接センサが、前記センサ素子との接触を必要とすることなく、前記開口部の近傍における人又は動物の存在を指示するように形成されている請求項１５
　　【請求項３６】　
　
前記近接センサが、前記センサ素子との接触を必要とすることなく、前記開口部の近傍における人又は動物の存在を指示するように形成されている請求項１６
　　【請求項３７】　
　
前記近接センサが、前記センサ素子との接触を必要とすることなく、前記開口部の近傍における人又は動物の存在を指示するように形成されている請求項１７
　　【請求項３８】　
　
前記近接センサが、前記センサ素子との接触を必要とすることなく、前記開口部の近傍における人又は動物の存在を指示するように形成されている請求項１８
　　【請求項３９】　
　
前記近接センサが、前記センサ素子との接触を必要とすることなく、前記開口部の近傍における人又は動物の存在を指示するように形成されている請求項１９
　　【請求項４０】　
　
前記近接センサが、前記センサ素子との接触を必要とすることなく、前記開口部の近傍における人又は動物の存在を指示するように形成されている請求項２０
　　【請求項４１】　
　
前記近接センサが、前記センサ素子との接触を必要とすることなく、前記開口部の近傍における人又は動物の存在を指示するように形成されている請求項２１
　　【請求項４２】　
　
前記近接センサの前記センサ素子が前記開口部に隣接して位置する導電性要素を含み、前記近接センサは前記導電性要素の状態を検知するための回路構成をさらに含み、前記近接センサは、前記導電性要素の近傍に近づいた人又は動物によって起こるキャパシタンスの変化に対応する前記導電性要素の状態の変化を指示するように形成され、
　
前記制御装置は、前記導電性要素の状態の指示された変化に応答して前記カッタ要素を動作不能にする働きをする、
請求項３２
　　【請求項４３】　
　
前記近接センサの前記センサ素子が前記開口部に隣接して位置する導電性要素を含み、前記近接センサは前記導電性要素の状態を検知するための回路構成をさらに含み、前記近接センサは、前記導電性要素の近傍に近づいた人又は動物によって起こるキャパシタンスの変化に対応する前記導電性要素の状態の変化を指示するように形成され、
　
前記制御装置は、前記導電性要素の状態の指示された変化に応答して前記カッタ要素を動作不能にする働きをする、
請求項３３
　　【請求項４４】　
　
前記近接センサの前記センサ素子が前記開口部に隣接して位置する導電性要素を含み、前記近接センサは前記導電性要素の状態を検知するための回路構成をさらに含み、前記近接センサは、前記導電性要素の近傍に近づいた人又は動物によって起こるキャパシタンスの変化に対応する前記導電性要素の状態の変化を指示するように形成され、
　
前記制御装置は、前記導電性要素の状態の指示された変化に応答して前記カッタ要素を動作不能にする働きをする、
請求項３４
　　【請求項４５】　
　
前記近接センサの前記センサ素子が前記開口部に隣接して位置する導電性要素を含み、前記近接センサは前記導電性要素の状態を検知するための回路構成をさらに含み、前記近接センサは、前記導電性要素の近傍に近づいた人又は動物によって起こるキャパシタンスの変化に対応する前記導電性要素の状態の変化を指示するように形成され、
　
前記制御装置は、前記導電性要素の状態の指示された変化に応答して前記カッタ要素を動作不能にする働きをする、
請求項３５
　　【請求項４６】　
　
前記近接センサの前記センサ素子が前記開口部に隣接して位置する導電性要素を含み、前記近接センサは前記導電性要素の状態を検知するための回路構成をさらに含み、前記近接センサは、前記導電性要素の近傍に近づいた人又は動物によって起こるキャパシタンスの変化に対応する前記導電性要素の状態の変化を指示するように形成され、
　
前記制御装置は、前記導電性要素の状態の指示された変化に応答して前記カッタ要素を動作不能にする働きをする、
請求項３６
　　【請求項４７】　
　
前記近接センサの前記センサ素子が前記開口部に隣接して位置する導電性要素を含み、前記近接センサは前記導電性要素の状態を検知するための回路構成をさらに含み、前記近接センサは、前記導電性要素の近傍に近づいた人又は動物によって起こるキャパシタンスの変化に対応する前記導電性要素の状態の変化を指示するように形成され、
　
前記制御装置は、前記導電性要素の状態の指示された変化に応答して前記カッタ要素を動作不能にする働きをする、
請求項３７に記載のシュレッダ
　　【請求項４８】　　
前記近接センサの前記センサ素子が前記開口部に隣接して位置する導電性要素を含み、前記近接センサは前記導電性要素の状態を検知するための回路構成をさらに含み、前記近接センサは、前記導電性要素の近傍に近づいた人又は動物によって起こるキャパシタンスの変化に対応する前記導電性要素の状態の変化を指示するように形成され、
　
前記制御装置は、前記導電性要素の状態の指示された変化に応答して前記カッタ要素を動作不能にする働きをする、
請求項３８に記載のシュレッダ
　　【請求項４９】
　
前記近接センサの前記センサ素子が前記開口部に隣接して位置する導電性要素を含み、前記近接センサは前記導電性要素の状態を検知するための回路構成をさらに含み、前記近接センサは、前記導電性要素の近傍に近づいた人又は動物によって起こるキャパシタンスの変化に対応する前記導電性要素の状態の変化を指示するように形成され、
　
前記制御装置は、前記導電性要素の状態の指示された変化に応答して前記カッタ要素を動作不能にする働きをする、
請求項３９に記載のシュレッダ
　　【請求項５０】
　
前記近接センサの前記センサ素子が前記開口部に隣接して位置する導電性要素を含み、前記近接センサは前記導電性要素の状態を検知するための回路構成をさらに含み、前記近接センサは、前記導電性要素の近傍に近づいた人又は動物によって起こるキャパシタンスの変化に対応する前記導電性要素の状態の変化を指示するように形成され、
　
前記制御装置は、前記導電性要素の状態の指示された変化に応答して前記カッタ要素を動作不能にする働きをする、
請求項４０に記載のシュレッダ
　　【請求項５１】
　
前記近接センサの前記センサ素子が前記開口部に隣接して位置する導電性要素を含み、前記近接センサは前記導電性要素の状態を検知するための回路構成をさらに含み、前記近接センサは、前記導電性要素の近傍に近づいた人又は動物によって起こるキャパシタンスの変化に対応する前記導電性要素の状態の変化を指示するように形成され、
　
前記制御装置は、前記導電性要素の状態の指示された変化に応答して前記カッタ要素を動作不能にする働きをする、
請求項４１に記載のシュレッダ
　　【請求項５２】
　
前記カッタ要素が、前記人又は動物の支持された存在に応答してモータへの電力供給を不能にすることによって動作不能になる請求項６に記載のシュレッダ
　　【請求項５３】
　
前記カッタ要素が、前記人又は動物の支持された存在に応答してモータへの電力供給を動作不能にすることによって動作不能になる請求項１３に記載のシュレッダ
　　【請求項５４】
　
前記カッタ要素が、前記人又は動物の支持された存在に応答してモータへの電力供給を動作不能にすることによって動作不能になる請求項１４に記載のシュレッダ
　　【請求項５５】
　
前記カッタ要素が、前記人又は動物の支持された存在に応答してモータへの電力供給を動作不能にすることによって動作不能になる請求項１５に記載のシュレッダ
　　【請求項５６】
　
前記カッタ要素が、前記人又は動物の支持された存在に応答してモータへの電力供給を動作不能にすることによって動作不能になる請求項１６に記載のシュレッダ
　　【請求項５７】
　
前記カッタ要素が、前記人又は動物の支持された存在に応答してモータへの電力供給を動作不能にすることによって動作不能になる請求項１７に記載のシュレッダ
　　【請求項５８】
　
前記カッタ要素が、前記人又は動物の支持された存在に応答してモータへの電力供給を動作不能にすることによって動作不能になる請求項２２に記載のシュレッダ
　　【請求項５９】
　
前記カッタ要素が、前記人又は動物の支持された存在に応答してモータへの電力供給を動作不能にすることによって動作不能になる請求項２３に記載のシュレッダ
　　【請求項６０】
　
前記カッタ要素が、前記人又は動物の支持された存在に応答してモータへの電力供給を動作不能にすることによって動作不能になる請求項２４に記載のシュレッダ
　　【請求項６１】
　
前記カッタ要素が、前記人又は動物の支持された存在に応答してモータへの電力供給を動作不能にすることによって動作不能になる請求項２５に記載のシュレッダ
　　【請求項６２】
　
前記カッタ要素が、前記人又は動物の支持された存在に応答してモータへの電力供給を動作不能にすることによって動作不能になる請求項２６に記載のシュレッダ
　　【請求項６３】
　
前記カッタ要素が、前記人又は動物の支持された存在に応答してモータへの電力供給を動作不能にすることによって動作不能になる請求項２７に記載のシュレッダ
　　【請求項６４】
　
前記カッタ要素が、前記人又は動物の支持された存在に応答してモータへの電力供給を動作不能にすることによって動作不能になる請求項３２に記載のシュレッダ
　　【請求項６５】
　
前記カッタ要素が、前記人又は動物の支持された存在に応答してモータへの電力供給を動作不能にすることによって動作不能になる請求項３３に記載のシュレッダ
　　【請求項６６】
　
前記カッタ要素が、前記人又は動物の支持された存在に応答してモータへの電力供給を動作不能にすることによって動作不能になる請求項３４に記載のシュレッダ
　　【請求項６７】
　
前記カッタ要素が、前記人又は動物の支持された存在に応答してモータへの電力供給を動作不能にすることによって動作不能になる請求項３５に記載のシュレッダ
　　【請求項６８】
　
前記カッタ要素が、前記人又は動物の支持された存在に応答してモータへの電力供給を動作不能にすることによって動作不能になる請求項３６に記載のシュレッダ
　　【請求項６９】
　
前記カッタ要素が、前記人又は動物の支持された存在に応答してモータへの電力供給を動作不能にすることによって動作不能になる請求項３７に記載のシュレッダ
　
（ｂ）本件補正前の特許請求の範囲
「特許請求の範囲
　　【請求項１】
　ハウジングと、
　ハウジングに受け入れられて、電動モータとカッタ要素とを含むシュレッダ機構であって、寸断しようとする物品がカッタ要素の中に送り込まれることを可能にし、前記モータはカッタ要素がその中に送り込まれた物品を寸断するようにカッタ要素を駆動する働きをするシュレッダ機構とを含み、
　前記ハウジングは、寸断のためにシュレッダ機構のカッタ要素の中に物品が通過して送り込まれるようにする開口部を有し、
　前記開口部の近くに少なくとも部分的に位置して、開口部の近傍に人又は動物が存在することを指示するために人又は動物固有の電気特性の検知に基づいて作動するように構成された近接センサと、
　人又は動物の存在の指示に応答して所定の動作を実施する働きをする制御装置と
　を含むシュレッダ。
　　【請求項２】
　人又は動物の存在の指示に応答して、所定の動作がシュレッダ機構を不能にすることである請求項１に記載のシュレッダ。
　　【請求項３】
　人又は動物の存在の指示に応答して、所定の動作がインジケータを照らすことである請求項１に記載のシュレッダ。
　　【請求項４】
　前記制御装置がマイクロコントローラである請求項１に記載のシュレッダ。
　　【請求項５】
　前記近接センサが容量性センサである請求項１に記載のシュレッダ。
　　【請求項６】
　前記近接センサが、前記開口部の近くに置かれた導電性要素と導電性要素の状態を感知するための回路構成とを含み、前記近接センサは、導電性要素の近傍に近づいた人又は動物によって起こるキャパシタンスの変化に対応する導電性要素の状態の変化を指示するように形成され、
　制御装置は、導電性要素の状態の指示された変化に応じた所定の動作を実施することができる、
　請求項５に記載のシュレッダ。
　　【請求項７】
　前記導電性要素が、開口部の近傍でハウジングの一部分に沿って延在する薄い金属部材である請求項６に記載のシュレッダ。
　　【請求項８】
　前記金属部材がハウジングの内表面の上に備えられている請求項７に記載のシュレッダ。
　　【請求項９】
　前記金属部材がハウジングの内表面の上にのみ備えられており、外表面には備えられていない請求項８に記載のシュレッダ。
　　【請求項１０】
　前記金属部材がハウジングの外表面にも備えられている請求項８に記載のシュレッダ。
　　【請求項１１】
　前記金属部材が上に備えられているハウジングの部分が開口部の部分を画定する縁部を有し、金属部材はハウジングの内表面から外表面まで縁部を覆って延びている請求項１０に記載のシュレッダ。
　　【請求項１２】
　前記シュレッダ機構がハウジングの内部にはめ込まれた請求項７に記載のシュレッダ。
　　【請求項１３】
　前記金属部材が、ハウジングの部分に開口部の近くで少なくとも部分的に接着されている請求項７に記載のシュレッダ。
　　【請求項１４】
　前記金属部材が金属テープから構成される請求項１３に記載のシュレッダ。
　　【請求項１５】
　前記金属部材が少なくとも部分的に非導電性部材によって覆われている請求項７に記載のシュレッダ。
　　【請求項１６】
　非導電性部材が導電性部材によって少なくとも部分的に覆われている請求項１５に記載のシュレッダ。
　　【請求項１７】
　前記導電性要素が少なくとも部分的に、ハウジング又はハウジングに付属する部材に塗付されたメタリック・エナメルを含む請求項６に記載のシュレッダ。
　　【請求項１８】
　前記導電性要素が少なくとも２つの金属部材を含み、各金属部材は開口部の近くでハウジングの一部分に沿って延在している請求項６に記載のシュレッダ。
　　【請求項１９】
　前記制御装置が少なくとも部分的にマイクロプロセッサを含む請求項１に記載のシュレッダ。
　　【請求項２０】
　前記制御装置が少なくとも部分的に個別回路構成部分を含む請求項１に記載のシュレッダ。
　　【請求項２１】
　前記制御装置が少なくとも部分的にアナログ回路を含む請求項１に記載のシュレッダ。
　　【請求項２２】
　ハウジングと、
　ハウジングに受け入れられて、電動モータとカッタ要素とを含むシュレッダ機構であって、寸断しようとする物品がカッタ要素の中に送り込まれることを可能にし、前記モータはカッタ要素がその中に送り込まれた物品を寸断するようにカッタ要素を駆動する働きをするシュレッダ機構とを含み、
　前記ハウジングは、寸断のためにシュレッダ機構のカッタ要素の中に物品が通過して送り込まれるようにすることができる開口部の少なくとも一部を提供する可動部分を有するハウジングであって、前記可動部分は第１位置から第２位置へ移動可能であって、第１位置から偏位し、
　第２位置への可動部分の移動を検出するために構成された検出器と、
　前記可動部分は、使用者が開口部を通る所定の厚さよりも大きな厚さを有する物品を強制しようとすることに応じて、第１位置から第２位置へ移動するように構成されており、　前記可動部分が第２位置へ移動したことを検出する検出器に応答して、所定の動作を実施することができる制御装置と
　を含むシュレッダ。
　　【請求項２３】
　前記検出器が、前記可動部分の第２位置への移動に応答して作動されるスイッチを含む請求項２２に記載のシュレッダ。
　　【請求項２４】
　前記所定の動作がインジケータを照らすことである請求項２２に記載のシュレッダ。
　　【請求項２５】
　前記所定の動作がアラーム・インジケータを鳴らすことである請求項２２に記載のシュレッダ。
　　【請求項２６】
　前記所定の動作がカッタ要素を停止させることである請求項２２に記載のシュレッダ。
　　【請求項２７】
　制御装置がマイクロコントローラを含む請求項２２に記載のシュレッダ。
　　【請求項２８】
　前記開口部の壁の少なくとも一部分が、所定の厚さより大きな厚さを有する挿入された物品の圧力に応答して動くことができ、これによって検出器を起動させる請求項２２に記載のシュレッダ。
　　【請求項２９】
　前記一部分が前記圧力に応答して外向きに動く請求項２８に記載のシュレッダ。
　　【請求項３０】
　前記一部分が前記圧力に応答して下向きに動く請求項２８に記載のシュレッダ。
　　【請求項３１】
　前記一部分が上向き部分に向かってばね偏向され、所定の厚さより大きな厚さを有する物品の挿入に応答して、前記一部分が下向きに押されてスイッチを作動させる請求項２８に記載のシュレッダ。
　　【請求項３２】
　前記一部分がプランジャを含む請求項３１に記載のシュレッダ。
　　【請求項３３】
　前記可動部分が第２位置に移動するときプランジャによって作動されるスイッチを含む請求項３１に記載のシュレッダ。
　　【請求項３４】
　前記スイッチがフォイル・スイッチである請求項２３に記載のシュレッダ。
　　【請求項３５】
　前記スイッチがレベル・スイッチである請求項２３に記載のシュレッダ。
　　【請求項３６】
　前記検出器が機械的スイッチを含む請求項２２に記載のシュレッダ。
　　【請求項３７】
　前記検出器が光学検出器を含む請求項２２に記載のシュレッダ。
　　【請求項３８】
　前記検出器が、可動部分の移動を測定するように構成され配置されたストレイン・ゲージを含む請求項２２に記載のシュレッダ。
　　【請求項３９】
　ハウジングと、
　ハウジングに受け入れられて、電動モータとカッタ要素とを含むシュレッダ機構であって、寸断しようとする物品がカッタ要素の中に送り込まれることを可能にし、前記モータはカッタ要素がその中に送り込まれた物品を寸断するようにカッタ要素を駆動する働きをするシュレッダ機構とを含み、
　前記ハウジングは、寸断のためにシュレッダ機構のカッタ要素の中に物品が通過して送り込まれるようにする開口部を有し、
　前記開口部の近くに少なくとも部分的に位置して、スイッチに接触した人又は動物が存在することを指示するために構成された抵抗スイッチと、
　人又は動物の存在の指示に応答して人又は動物固有の電気特性の検知に基づいて決定するように所定の動作を実施する働きをする制御装置と
　を含むシュレッダ。
　　【請求項４０】
　所定の動作がインジケータを照らすことである請求項３９に記載のシュレッダ。
　　【請求項４１】
　前記所定の動作がアラーム・インジケータを鳴らすことである請求項３９に記載のシュレッダ。
　　【請求項４２】
　前記所定の動作がカッタ要素を停止させることである請求項３９に記載のシュレッダ。
　　【請求項４３】
　前記抵抗スイッチがさらに、一対の電気的に絶縁された導電性要素を含み、これらの導電性要素は、人又は動物の一部によって同時に接触されると電気的に連絡する請求項３９に記載のシュレッダ。
　　【請求項４４】
　前記制御装置が、時間にわたるスイッチからの信号強度の変化を監視し、所定の動作を実施するためのしきい値を調節するように構成されている請求項３９に記載のシュレッダ。
　　【請求項４５】
　前記制御装置が、抵抗スイッチの監視された抵抗の変化率に少なくとも部分的に基づいて所定の動作を実施するように構成されている請求項３９に記載のシュレッダ。
　　【請求項４６】
　前記制御装置が、抵抗スイッチの監視された抵抗に少なくとも部分的に基づいて所定の動作を実施するように構成されている請求項３９に記載のシュレッダ。
　　【請求項４７】
　寸断のためにシュレッダ機構のカッタ要素の中に物品が通過して送り込まれるようにすることができる開口部を有するハウジングを含むシュレッダとともに使用するための装置であって、
　前記開口部の近くでシュレッダの一部分に添付可能であって、スイッチに接触状態となっている人又は動物の存在を示すために構成されたスイッチと、
　前記スイッチと電気的に連絡している状態にあって、電源と係合するように構成され配置されたコネクタとシュレッダの電力コードを受け入れるように構成され配置されたソケットとを有する制御装置であって、さらに電源からシュレッダに電力を供給し、人又は動物の存在の指示に応答して人又は動物固有の電気特性の検知に基づいてシュレッダへの電力を停止するように構成されている制御装置と
　を含む装置。
　　【請求項４８】
　スイッチがシュレッダに取り外し可能に添付可能である請求項４７に記載の装置。
　　【請求項４９】
　スイッチが容量性スイッチである請求項４７に記載の装置。
　　【請求項５０】
　スイッチが抵抗スイッチである請求項４７に記載の装置。
　　【請求項５１】
　スイッチが機械的スイッチである請求項４７に記載の装置。
　　【請求項５２】
　スイッチが圧力スイッチである請求項５１に記載の装置。」
　
　そして、本件補正は、以下の（ア）ないし（キ）の内容の補正を含んでいるといえる。
（ア）本件補正前の請求項１において、「シュレッダ」を「紙、ＣＤ、フロッピー（登録商標）・ディスク、クレジット・カード等の薄い平坦な物品を寸断するためのシュレッダ」と限定し、「近接センサ」を「センサ素子を有する近接センサ」と限定し、「人又は動物の存在の指示に応答して所定の動作を実施する働きをする制御装置」を「人又は動物の存在の指示に応答して前記カッタ要素を動作不能にする働きをする制御装置」と限定し、「前記シュレッダ機構の下に配設されて、寸断された物品を前記シュレッダ機構から受け入れるように形成されたゴミ入れであって、この中の寸断された物品を取り除いて空にするために前記シュレッダ機構の下から手動で除去可能なゴミ入れ」を付加する補正。
（イ）本件補正前の請求項１２ないし１４を新たな請求項８ないし１０とし、本件補正前の請求項１７及び１９を新たな請求項１１及び１２とする補正。
（ウ）本件補正前の請求項１３ないし２１を削除し、請求項１に直接的又は間接的に従属する新たな請求項１３ないし２１を付加する補正。
（エ）本件補正前の独立形式で記載されていた請求項２２及び同請求項に直接的又は間接的に従属していた本件補正前の請求項２３ないし３８を削除し、請求項１に直接的又は間接的に従属する新たな請求項２２ないし３８を付加する補正。
（オ）本件補正前の独立形式で記載されていた請求項３９及び同請求項に直接的に従属していた本件補正前の請求項４０ないし４６を削除し、請求項１に間接的に従属する新たな請求項３９ないし４６を付加する補正。 
（カ）本件補正前の独立形式で記載されていた請求項４７及び同請求項に直接的又は間接的に従属していた本件補正前の請求項４８ないし５２を削除し、請求項１に間接的に従属する新たな請求項４７ないし５２を付加する補正。
（キ）請求項１に間接的に従属する新たな請求項５３ないし６９を付加する補正。
　
　
２．本件補正の適否の検討 
２−１．上記１．の（エ）ないし（キ）の補正に関して 
　上記１．の（エ）ないし（キ）の補正は、請求項１に直接的又は間接的に従属する請求項を新たに付加するものであり、請求項の数を増加する補正である。よって、上記補正は平成１８年法律第５５号改正附則第３条第１項によりなお従前の例によるとされる同法による改正前の特許法第１７条の２第４項第２号に規定する特許請求の範囲の減縮を目的とするものではない。また、上記補正は平成１８年法律第５５号改正附則第３条第１項によりなお従前の例によるとされる同法による改正前の特許法第１７条の２第４項第１号に規定する請求項の削除、同第３号に規定する誤記の訂正、同第４号に規定する明りょうでない記載の釈明のいずれを目的とするものにも該当しない。
　
２−２．上記１．の（ア）の補正に関して
　上記１．の（ア）の補正における「前記シュレッダ機構の下に配設されて、寸断された物品を前記シュレッダ機構から受け入れるように形成されたゴミ入れであって、この中の寸断された物品を取り除いて空にするために前記シュレッダ機構の下から手動で除去可能なゴミ入れ」を付加する補正は、本件補正前の請求項１に係る発明における発明特定事項である「シュレッダ機構」に「ゴミ入れ」を付加するものであり、「シュレッダ機構」自体を限定するものではない。よって、上記補正は平成１８年法律第５５号改正附則第３条第１項によりなお従前の例によるとされる同法による改正前の特許法第１７条の２第４項第２号に規定する特許請求の範囲の減縮を目的とするものではない。また、上記補正は平成１８年法律第５５号改正附則第３条第１項によりなお従前の例によるとされる同法による改正前の特許法第１７条の２第４項第１号に規定する請求項の削除、同第３号に規定する誤記の訂正、同第４号に規定する明りょうでない記載の釈明のいずれを目的とするものにも該当しない。
　
　
３．むすび　 
 　以上のとおり、本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。
　よって結論のとおり決定する。　 
  
 　 
 　 
第３．本願発明について 
１．本願発明の認定 
　平成１８年１２月２５日付けの手続補正は上記のとおり却下されたので、本件出願の請求項１ないし５２に係る発明は、平成１８年５月１７日付けで提出された手続補正書により補正された特許請求の範囲並びに出願当初の明細書及び図面の記載からみて、特許請求の範囲の請求項１ないし５２に記載された事項により特定されるとおりのものと認められ、そのうち、請求項１に係る発明（以下、「本願発明」という。）は、次のとおりである。  
「ハウジングと、
　ハウジングに受け入れられて、電動モータとカッタ要素とを含むシュレッダ機構であって、寸断しようとする物品がカッタ要素の中に送り込まれることを可能にし、前記モータはカッタ要素がその中に送り込まれた物品を寸断するようにカッタ要素を駆動する働きをするシュレッダ機構とを含み、
　前記ハウジングは、寸断のためにシュレッダ機構のカッタ要素の中に物品が通過して送り込まれるようにする開口部を有し、
　前記開口部の近くに少なくとも部分的に位置して、開口部の近傍に人又は動物が存在することを指示するために人又は動物固有の電気特性の検知に基づいて作動するように構成された近接センサと、
　人又は動物の存在の指示に応答して所定の動作を実施する働きをする制御装置と
　を含むシュレッダ。」
　
　
２．引用刊行物に記載の発明 
（１）原査定の拒絶の理由に引用された、本件出願の優先権主張の日前に頒布された刊行物である実願昭５５−１５０５２３号（実開昭５７−７６７３４号）のマイクロフィルム（以下、「引用刊行物」という。）に記載された事項 
 　引用刊行物には、以下の事項が図面とともに記載されている。 
ア．「廃文書等を細片に裁断するシユレツダーの一般的な構造は、第１図に示すように、箱体（１）の上部に設けた投入口（２）の直下に、互いに?合し、適宜の動力により矢印方向に回転させられる１対のカッタ（３）（３）を設け、投入口（２）より投入した廃文書（４）を裁断して、細片（５）とするようになつている。」（明細書第１ページ第１０行ないし第１５行） 
イ．「本考案は、人体より放射される熱線により、シユレツダーを停止させるようにすることにより、上述の問題点を解決した安全装置に関するもので、第２図以下に示す実施例に基いて具体的に説明する。
　第２図は、本考案装置を示すブロツク図、第３図は、本考案装置を適用した横型シユレツダー（１１）を示し、（１２）はカツタである。
　シユレツダー（１１）の前面の横長の廃文書投入口（１３）の左右両側端には、凹面鏡（１４）（左方の凹面鏡は図示せず）が、互いに対向するように設置されている。
　各凹面鏡（１４）の焦点には、焦電形赤外線センサ（１５）が装着され、その出力は、８０デシベル以上の高増幅度の増幅器（１６）において増幅され、誤動作を防止するためのノイズ除去用フイルタ（１７）を経て、ロツク回路（１８）に入力し、ロツク回路（１８）の出力をもつて、シユレツダー（１１）駆動用のモータ（１９）の給電線（２０）（２０）の途中に設けた、常閉スイツチ（２１）を開くようになつている。
　なお、（２２）は熱線を示す。
　上述装置において、手指等が誤つてカツタ（１２）に近づくと、その熱線（２２）は凹面鏡（１４）により反射され、赤外線センサ（１５）の出力電圧は変化する。この電圧は、増幅器（１６）により増幅され、フイルタ（１７）を経てロツク回路（１８）を作動させ、スイツチ（２１）を開いて、モータ（１９）を直ちに停止させる。
　停止したモータ（１９）は、ロツク回路（１８）に接続された、常開のリセツトスイツチ（２３）を閉じることにより、ロツク回路（１８）のロツクを解除して、スイツチ（２１）を開き、回転を開始させることができる。」（明細書第２ページ第４行ないし第３ページ第１４行）
ウ．「上述のように、本考案装置は、カツタ（１２）に近づいた人体の一部を、その熱線により検知して、処理すべき廃文書と明瞭に識別しうるので、シユレツダー（１１）に設けても、その動作を妨げることはなく、人体を危険より守ることができる。」（明細書第３ページ第１５行ないし第１９行）
 　
（２）上記（１）及び第１図ないし第３図からわかること。 
ａ．上記（１）ア．及びイ．並びに第１図、第２図より、横型シユレツダ−１１は、モータ１９とカツタ１２とを含むシユレツダー機構であって、裁断しようとする廃文書がカツタ１２の中に送り込まれることを可能にし、前記モータ１９はカツタ１２がその中に送り込まれた廃文書を裁断するようにカツタ１２を駆動する働きをするシユレツダー機構を有することがわかる。
ｂ．第３図より、横型シユレツダ−１１はハウジングにより外郭を構成することがわかる。
ｃ．上記ａ．及びｂ．より、モータ１９とカツタ１２とを含むシユレツダー機構はハウジングに受け入れられていることがわかる。
ｄ．第３図より、カツタ１２及び焦電形赤外線センサ１５は廃文書投入口１３の近傍に設けられていることがわかる。また、上記（１）イ．には「上述装置において、手指等が誤つてカツタ（１２）に近づくと、その熱線（２２）は凹面鏡（１４）により反射され、赤外線センサ（１５）の出力電圧は変化する。」とあり、上記（１）ウ．には「カツタ（１２）に近づいた人体の一部を、その熱線により検知」するとある。よって、焦電形赤外線センサ１５は廃文書投入口１３の近傍に人体が存在することを指示することがわかる。
e．上記（１）イ．には「上述装置において、手指等が誤つてカツタ（１２）に近づくと、その熱線（２２）は凹面鏡（１４）により反射され、赤外線センサ（１５）の出力電圧は変化する。この電圧は、増幅器（１６）により増幅され、フイルタ（１７）を経てロツク回路（１８）を作動させ、スイツチ（２１）を開いて、モータ（１９）を直ちに停止させる。」とあるから、ロツク回路１８は人体の存在の指示に応答してモータ１９の停止を実施するスイツチ２１の開放操作をすることがわかる。
 　 　 
（３）引用刊行物に記載された発明　 
 上記（１）及び（２）並びに図面の記載を総合すると、引用刊行物には次の発明が記載されていると認められる。　 
「ハウジングと、
　ハウジングに受け入れられて、モータ１９とカツタ１２とを含むシユレツダー機構であって、裁断しようとする廃文書がカツタ１２の中に送り込まれることを可能にし、前記モータ１９はカツタ１２がその中に送り込まれた廃文書を裁断するようにカツタ１２を駆動する働きをするシユレツダー機構とを含み、
　前記ハウジングは、裁断のためにシユレツダー機構のカツタ１２の中に廃文書が通過して送り込まれるようにする廃文書投入口１３を有し、
　前記廃文書投入口１３の近くに少なくとも部分的に位置して、廃文書投入口１３の近傍に人体が存在することを指示するために人体の熱線の検知に基づいて作動するように構成された焦電形赤外線センサ１５と、
　人体の存在の指示に応答してモータ１９の停止を実施するスイツチ２１の開放操作をするロツク回路１８と
　を含む横型シユレツダー１１。」（以下、「引用発明」という。） 
　
　
３．対比　 
　本願発明と引用発明を対比すると，両者の対応関係は次のとおりである。 　
　引用発明における「モータ１９」は、その機能からみて、本願発明における「電動モータ」に相当し、同様に「カツタ１２」は「カッタ要素」に、「シユレツダー機構」は「シュレッダ機構」に、「廃文書」は「物品」に、「廃文書投入口１３」は「開口部」に、「人体」は「人又は動物」に、「モータ１９の停止」は「所定の動作」に、「スイツチ２１の開放操作」は「働き」に、「ロツク回路１８」は「制御装置」に、「横型シユレツダ−１１」は「シュレッダ」にそれぞれ相当する。
　引用発明における「裁断」は「シユレツダー機構」によって「廃文書」に対してなされる処理であるから、本願発明における「寸断」に相当する。
　引用発明における「人体の熱線」と本願発明における「人又は動物固有の電気特性」は、「生体特性」である限りにおいて共通である。　 
　引用発明における「焦電形赤外線センサ１５」と本願発明における「近接センサ」は、「センサ」である限りにおいて共通である。　 
 　　 
　よって、本願発明と引用発明とは、　 
「ハウジングと、
　ハウジングに受け入れられて、電動モータとカッタ要素とを含むシュレッダ機構であって、寸断しようとする物品がカッタ要素の中に送り込まれることを可能にし、前記モータはカッタ要素がその中に送り込まれた物品を寸断するようにカッタ要素を駆動する働きをするシュレッダ機構とを含み、
　前記ハウジングは、寸断のためにシュレッダ機構のカッタ要素の中に物品が通過して送り込まれるようにする開口部を有し、
　前記開口部の近くに少なくとも部分的に位置して、開口部の近傍に人又は動物が存在することを指示するために生体特性の検知に基づいて作動するように構成されたセンサと、
　人又は動物の存在の指示に応答して所定の動作を実施する働きをする制御装置と
　を含むシュレッダ。」である点で一致し、以下の点で相違する。　 
　　
・「センサ」について、本願発明においては「人又は動物固有の電気特性」の検知に基づいて作動するように構成された「近接センサ」であるのに対して、引用発明においては「人体の熱線」の検知に基づいて作動するように構成された「焦電形赤外線センサ１５」である点（以下、「相違点」という。）。
　
　
４．判断 
　上記相違点について検討する。　 
　危険を伴う作業領域を有し、該作業領域に人又は動物のような生命体が存在することを検出手段により検知してその作動を停止する作業装置において、上記検出手段として人又は動物固有の電気特性である静電容量の変化を検知する静電容量センサよりなる近接センサを用いることは周知技術（例えば、特開２０００−３４６２８８号公報、特開平１１−１３２３９６号公報、及び特開平１０−４８３４４号公報を参照されたい。以下、「周知技術」という。）である。
　ここで、引用発明も、危険を伴う作業領域である「廃文書投入口１３の近傍」に生命体である「人体」が存在することを「焦電形赤外線センサ１５」で検出して「モータ１９の停止」をするものである。
　よって、引用発明における「人体の熱線の検知に基づいて作動するように構成された焦電形赤外線センサ１５」を上記周知技術における「人又は動物固有の電気特性である静電容量の変化を検知する静電容量センサよりなる近接センサ」に置換することにより上記相違点に係る本願発明の発明特定事項を想到することは当業者が容易になし得たものである。 
 　 
　また、本願発明は全体としてみても引用発明及び周知技術から予測できる作用効果以上の顕著な作用効果を奏するものとも認められない。　 
　
　
５．むすび　 
　以上から、本願発明は、引用発明及び周知技術に基づいて当該技術分野における通常の知識を有する者が容易に発明をすることができたものであるから、特許法第２９条第２項の規定により特許を受けることができない。 
 　よって、結論のとおり審決する。